(57)【要約】  本発明は無線通信技術分野に関し、特にＤＲＸの設定及び制御チャネルのモニタリングの方法、システム及び装置に関する。本発明は、従来技術に存在するベアラ分離の場合、ＵＥのために適切なＤＲＸを直ちに設定できず、ＵＥのモニタリング時間が長くなり、ＵＥの電力消費がさらに多くなる問題点を解決する。本発明にかかる実施例の方法は、前記第２ネットワーク側装置が前記補助情報に基づいて前記ユーザー装置のためにＤＲＸを設定するように、第１ネットワーク側装置は第２ネットワーク側装置に補助情報を送信し、一部の前記ユーザー装置のベアラ一は、前記第２ネットワーク側装置に分離される。本発明にかかる実施例のベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
2016539602.tif 000002
【特許請求の範囲】
【請求項１】
第１ネットワーク側装置は、ユーザー装置に対する補助情報を特定するステップと、
前記第１ネットワーク側装置は、前記第２ネットワーク側装置が前記補助情報に基づいて前記ユーザー装置のためにＤＲＸを設定するように、第２ネットワーク側装置に前記補助情報を送信するステップとを備え、
一部の前記ユーザー装置のベアラ一は、前記第２ネットワーク側装置に分離されることを特徴とする不連続受信（ＤＲＸ）の設定方法。
【請求項２】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項１に記載の不連続受信（ＤＲＸ）の設定方法。
【請求項３】
前記補助情報は、前記ユーザー装置のサービングセルのサービングする基地局により特定した前記第２ネットワーク側装置が前記ユーザー装置のために設定したＤＲＸ関連情報を含み、
前記第１ネットワーク側装置がユーザー装置に対する補助情報を特定するステップは、
前記第１ネットワーク側装置は、前記ユーザー装置のサービングセルのサービングする基地局により特定した前記第２ネットワーク側装置が前記ユーザー装置のために設定したＤＲＸ関連情報を、補助情報とするステップを備え、
前記基地局により推奨した定ＤＲＸ関連情報は、前記第２ネットワーク側装置に分離したベアラ関連のサービスの特性情報に基づいて特定した情報であることを特徴とする請求項２に記載の不連続受信（ＤＲＸ）の設定方法。
【請求項４】
前記補助情報は、前記第２ネットワーク側装置に分離したベアラ関連のサービスの特性情報を含み、
前記第１ネットワーク側装置がユーザー装置に対する補助情報を特定するステップは、
前記第１ネットワーク側装置は、前記第２ネットワーク側装置に分離したベアラと関連するサービスのパケット履歴伝送間隔情報を、前記特性情報とするステップと、
及び/または
前記第１ネットワーク側装置は、前記第２ネットワーク側装置に分離したベアラと関連するサービスのポリシー情報を、前記特性情報とするステップとを備えることを特徴とする請求項２に記載の不連続受信（ＤＲＸ）の設定方法。
【請求項５】
前記サービスのポリシー情報は、クオリティ・オブ・サービス（ＱｏＳ）情報及び/またはサービスのパケット予測伝送間隔情報を含むことを特徴とする請求項４に記載の不連続受信（ＤＲＸ）の設定方法。
【請求項６】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項１ないし請求項４のいずれか１つに記載の不連続受信（ＤＲＸ）の設定方法。
【請求項７】
前記第１ネットワーク側装置はＭｅＮＢまたはＳｅＮＢであり、
前記第１ネットワーク側装置が第２ネットワーク側装置に前記補助情報を送信する前に、前記第１ネットワーク側装置は、第２ネットワーク側装置に前記補助情報を送信することを特定するステップをさらに備えることを特徴とする請求項６に記載の不連続受信（ＤＲＸ）の設定方法。
【請求項８】
前記第１ネットワーク側装置は以下の方式により第２ネットワーク側装置に前記補助情報を送信するか否かを判断し、
前記第１ネットワーク側装置は、前記第１ネットワーク側装置における前記ユーザー装置のベアラのＱｏＳ及び前記第２ネットワーク側装置における前記ユーザー装置のベアラのＱｏＳに基づいて、第２ネットワーク側装置に前記補助情報を送信するか否かを判断し、
または、
前記第１ネットワーク側装置は、前記ユーザー装置の受信機情報に基づいて、第２ネットワーク側装置に前記補助情報を送信するか否かを判断することを特徴とする請求項７に記載の不連続受信（ＤＲＸ）の設定方法。
【請求項９】
第２ネットワーク側装置は、第１ネットワーク側装置からユーザー装置に対する補助情報を受信するステップと、
前記第２ネットワーク側装置は、前記補助情報に基づいて前記ユーザー装置のためにＤＲＸを設定するステップとを備え、
一部の前記ユーザー装置のベアラ一は、前記第２ネットワーク側装置に分離されることを特徴とする不連続受信（ＤＲＸ）の設定方法。
【請求項１０】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項９に記載の不連続受信（ＤＲＸ）の設定方法。
【請求項１１】
前記補助情報は、前記ユーザー装置のサービングセルのサービングする基地局が前記ユーザー装置のために最後に設定したＤＲＸ関連情報及び/または前記ユーザー装置のサービングセルのサービングする基地局により特定した前記第２ネットワーク側装置が前記ユーザー装置のために設定したＤＲＸ関連情報を含み、
前記第２ネットワーク側装置が前記補助情報に基づいて前記ユーザー装置のためにＤＲＸを設定するステップは、
前記第２ネットワーク側装置が前記ユーザー装置のためにＤＲＸを既に設定し、且つ設定したＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さいか、前記第２ネットワーク側装置が前記ユーザー装置のためにＤＲＸを設定していなければ、再設定後のＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さくないように、前記ユーザー装置のためにＤＲＸを設定するステップを備えることを特徴とする請求項１０に記載の不連続受信（ＤＲＸ）の設定方法。
【請求項１２】
前記補助情報は、前記第２ネットワーク側装置に分離したベアラ関連のサービスの特性情報を含み、
前記第２ネットワーク側装置が前記補助情報に基づいて前記ユーザー装置のためにＤＲＸを設定するステップは、
前記第２ネットワーク側装置は、前記補助情報に基づいて前記ユーザー装置の受信時間間隔を特定するステップと、
前記第２ネットワーク側装置は、特定した前記受信時間間隔に基づいて、前記ユーザー装置のためにＤＲＸを設定するステップとを備えることを特徴とする請求項１１に記載の不連続受信（ＤＲＸ）の設定方法。
【請求項１３】
前記サービスの特性情報は、前記第２ネットワーク側装置に分離したベアラと関連するサービスのパケット履歴伝送間隔情報、及び/または前記第２ネットワーク側装置に分離したベアラと関連するサービスのポリシー情報を含むことを特徴とする請求項１２に記載の不連続受信（ＤＲＸ）の設定方法。
【請求項１４】
前記サービスのポリシー情報は、サービスのＱｏＳ情報及び/またはサービスのパケット予測伝送間隔情報を含むことを特徴とする請求項１２に記載の不連続受信（ＤＲＸ）の設定方法。
【請求項１５】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項９ないし請求項１４のいずれか１つに記載の不連続受信（ＤＲＸ）の設定方法。
【請求項１６】
ユーザー装置は、第２ネットワーク側装置により設定したＤＲＸを受信するステップと、
前記ユーザー装置は、設定した前記ＤＲＸに基づいて制御チャネルをモニタリングするステップとを備え、
前記第２ネットワーク側装置により設定したＤＲＸは、前記第２ネットワーク側装置が第１ネットワーク側装置から受信した補助情報に基づいて特定した情報であり、
一部の前記ユーザー装置のベアラ一は、前記第２ネットワーク側装置に分離されることを特徴とする制御チャネルのモニタリング方法。
【請求項１７】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項１６に記載の制御チャネルのモニタリング方法。
【請求項１８】
前記ユーザー装置が第２ネットワーク側装置により設定したＤＲＸを受信する前、
前記ユーザー装置は、前記第１ネットワーク側装置が前記ユーザー装置の受信機情報に基づいて第２ネットワーク側装置に前記補助情報を送信するか否かを判断できるように、前記第１ネットワーク側装置に前記ユーザー装置の受信機情報を報告ステップを備えることを特徴とする請求項１６または請求項１７に記載の制御チャネルのモニタリング方法。
【請求項１９】
ユーザー装置に対する補助情報を特定する特定モジュールと、
前記第２ネットワーク側装置が前記補助情報に基づいて前記ユーザー装置のためにＤＲＸを設定できるように、第２ネットワーク側装置に前記補助情報を送信する送信モジュールとを備え、
一部の前記ユーザー装置のベアラ一は、前記第２ネットワーク側装置に分離されることを特徴とする不連続受信（ＤＲＸ）を設定する第１ネットワーク側装置。
【請求項２０】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項１９に記載の不連続受信（ＤＲＸ）を設定する第１ネットワーク側装置。
【請求項２１】
前記補助情報は、前記ユーザー装置のサービングセルのサービングする基地局により特定した前記第２ネットワーク側装置が前記ユーザー装置のために設定したＤＲＸ関連情報を含み、
前記特定モジュールは、前記ユーザー装置のサービングセルのサービングする基地局により特定した前記第２ネットワーク側装置が前記ユーザー装置のために設定したＤＲＸ関連情報を、補助情報とし、
前記基地局により推奨した定ＤＲＸ関連情報は、前記第２ネットワーク側装置に分離したベアラ関連のサービスの特性情報に基づいて特定した情報であることを特徴とする請求項２０に記載の不連続受信（ＤＲＸ）を設定する第１ネットワーク側装置。
【請求項２２】
前記補助情報は、前記第２ネットワーク側装置に分離したベアラ関連のサービスの特性情報を含み、
前記特定モジュールは、前記第２ネットワーク側装置に分離したベアラと関連するサービスのパケット履歴伝送間隔情報を前記特性情報とするか、及び/または将前記第２ネットワーク側装置に分離したベアラと関連するサービスのポリシー情報を前記特性情報とすることを特徴とする請求項２０に記載の不連続受信（ＤＲＸ）を設定する第１ネットワーク側装置。
【請求項２３】
前記サービスのポリシー情報は、クオリティ・オブ・サービス（ＱｏＳ）情報及び/またはサービスのパケット予測伝送間隔情報を含むことを特徴とする請求項２２に記載の不連続受信（ＤＲＸ）を設定する第１ネットワーク側装置。
【請求項２４】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項１９ないし請求項２２のいずれか１つに記載の不連続受信（ＤＲＸ）を設定する第１ネットワーク側装置。
【請求項２５】
前記第１ネットワーク側装置はＭｅＮＢまたはＳｅＮＢであり、
前記送信モジュールは、第２ネットワーク側装置に前記補助情報を送信すべきだと特定された後、第２ネットワーク側装置に前記補助情報を送信することを特徴とする請求項２４に記載の不連続受信（ＤＲＸ）を設定する第１ネットワーク側装置。
【請求項２６】
前記送信モジュールは、以下の方式により第２ネットワーク側装置に前記補助情報を送信するか否かを判断し、
前記第１ネットワーク側装置における前記ユーザー装置のベアラのＱｏＳ及び前記第２ネットワーク側装置における前記ユーザー装置のベアラのＱｏＳに基づいて、第２ネットワーク側装置に前記補助情報を送信するか否かを判断するか、前記ユーザー装置の受信機情報に基づいて第２ネットワーク側装置に前記補助情報を送信するか否かを判断することを特徴とする請求項２５に記載の不連続受信（ＤＲＸ）を設定する第１ネットワーク側装置。
【請求項２７】
第１ネットワーク側装置からユーザー装置に対する補助情報を受信する第１受信モジュールと、
前記補助情報に基づいて前記ユーザー装置のためにＤＲＸを設定する設定モジュールとを備え、
一部の前記ユーザー装置のベアラ一は、前記第２ネットワーク側装置に分離されることを特徴とする不連続受信（ＤＲＸ）を設定する第２ネットワーク側装置。
【請求項２８】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項２７に記載の不連続受信（ＤＲＸ）を設定する第２ネットワーク側装置。
【請求項２９】
前記補助情報は、前記ユーザー装置のサービングセルのサービングする基地局が前記ユーザー装置のために最後に設定したＤＲＸ関連情報及び/または前記ユーザー装置のサービングセルのサービングする基地局により特定した前記第２ネットワーク側装置が前記ユーザー装置のために設定したＤＲＸ関連情報を含み、
前記設定モジュールは、前記ユーザー装置のためにＤＲＸを既に設定、且つ設定されたＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さいか、前記ユーザー装置のためにＤＲＸを設定していなければ、再設定後のＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さくないように、前記ユーザー装置のためにＤＲＸを設定することを特徴とする請求項２９に記載の不連続受信（ＤＲＸ）を設定する第２ネットワーク側装置。
【請求項３０】
前記補助情報は、前記第２ネットワーク側装置に分離したベアラ関連のサービスの特性情報を含み、
前記設定モジュールは、前記補助情報に基づいて前記ユーザー装置の受信時間間隔を特定し、特定した前記受信時間間隔に基づいて前記ユーザー装置のためにＤＲＸを設定することを特徴とする請求項２９に記載の不連続受信（ＤＲＸ）を設定する第２ネットワーク側装置。
【請求項３１】
前記サービスの特性情報は、前記第２ネットワーク側装置に分離したベアラと関連するサービスのパケット履歴伝送間隔情報、及び/または前記第２ネットワーク側装置に分離したベアラと関連するサービスのポリシー情報を含むことを特徴とする請求項３０に記載の不連続受信（ＤＲＸ）を設定する第２ネットワーク側装置。
【請求項３２】
前記サービスのポリシー情報は、サービスのＱｏＳ情報及び/またはサービスのパケット予測伝送間隔情報を含むことを特徴とする請求項３０に記載の不連続受信（ＤＲＸ）を設定する第２ネットワーク側装置。
【請求項３３】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項２７ないし請求項３２のいずれか１つに記載の不連続受信（ＤＲＸ）を設定する第２ネットワーク側装置。
【請求項３４】
第２ネットワーク側装置により設定したＤＲＸを受信し、前記第２ネットワーク側装置により設定したＤＲＸは、前記第２ネットワーク側装置が第１ネットワーク側装置から受信した補助情報に基づいて特定した情報である第２受信モジュールと、
設定した前記ＤＲＸに基づいて制御チャネルをモニタリングする処理モジュールとを備え、
一部の前記ユーザー装置のベアラ一は、前記第２ネットワーク側装置に分離されることを特徴とする制御チャネルをモニタリングするユーザー装置。
【請求項３５】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項３４に記載の制御チャネルをモニタリングするユーザー装置。
【請求項３６】
前記処理モジュールは、前記受信モジュールが第２ネットワーク側装置により設定したＤＲＸを受信する前、前記第１ネットワーク側装置は、前記ユーザー装置の受信機情報に基づいて、第２ネットワーク側装置に前記補助情報を送信するか否かを判断できるように、前記第１ネットワーク側装置に前記ユーザー装置の受信機情報を報告することを特徴とする請求項３４または請求項３５に記載の制御チャネルをモニタリングするユーザー装置。
【請求項３７】
ユーザー装置に対する補助情報を特定し、第２ネットワーク側装置に前記補助情報を送信する第１ネットワーク側装置と、
第１ネットワーク側装置からユーザー装置に対する補助情報を受信し、前記補助情報に基づいて前記ユーザー装置のためにＤＲＸを設定する第２ネットワーク側装置と、
第２ネットワーク側装置により設定したＤＲＸを受信し、設定した前記ＤＲＸに基づいて制御チャネルをモニタリングするユーザー装置とを備え、
一部の前記ユーザー装置のベアラ一は、前記第２ネットワーク側装置に分離されることを特徴とする不連続受信（ＤＲＸ）を設定するシステム。
【発明の詳細な説明】
【技術分野】
【０００１】
本発明は通信技術分野に関し、特にＤＲＸの設定及び制御チャネルのモニタリングの方法、システム及び装置に関する。
【背景技術】
【０００２】
日々ますます多くなるホームｅＮｏｄｅＢ（Ｈｏｍｅ  ｅＮｏｄｅＢ）、マイクロセル、中継（ｒｅｌａｙ）など多様なローカルノードの設定と伴い、伝統のマクロｅＮｏｄｅが主となるネットワークアーキテクチャは、多種類の基地局が共存するネットワークアーキテクチャとなり、更なる多くのレイヤよりなるネットワーク・カバレッジを提供する。多様な基地局が共存するネットワークアーキテクチャ場合の関連機能を改善するため、非適切リンク（ｎｏｎ-ｉｄｅａｌ ｌｉｎｋ）による多基地局間の協動（Ｃｏｏｒｄｉｎａｔｅ）/アグリゲイション（ａｇｇｒｅｇａｔｉｏｎ）を実施するネットワークアーキテクチャが提案された。
【０００３】
当該ネットワークアーキテクチャには、ユーザー装置（Ｕｓｅｒ Ｅｑｕｉｐｍｅｎｔ、ＵＥ）の一部の無線ベアラー（Ｒａｄｉｏ Ｂｅａｒｅｒ、ＲＢ）はＭｅＮＢ（Ｍａｓｔｅｒ ｅＮＢ）が管理するマスターセル（Ｍａｓｔｅｒ Ｃｅｌｌ、  ＭＣｅｌｌ）に位置し、この部分のＲＢは、コントロール・プレーン・シグナリング無線ベアラー（Ｓｉｇｎａｌｉｎｇ Ｒａｄｉｏ Ｂｅａｒｅｒ、ＳＲＢ）及びユーザープレーン・データ無線ベアラー（Ｄａｔａ Ｒａｄｉｏ Ｂｅａｒｅｒ、ＤＲＢ）を含む。一方、同一のＵＥの他の一部のベアラー（ＳＲＢ及びＤＲＢが含まれる）は、ＳｅＮＢ（Ｓｅｃｏｎｄａｒｙ ｅＮＢ、ＳｅＮＢ）が管理するセカンダリーセル（Ｓｅｃｏｎｄａｒｙ Ｃｅｌｌ、ＳＣｅｌｌ）に位置する。
【０００４】
図１Ａは可能のマルチレイヤネットワーク・カバレッジシナリオを示す。当該シナリオにおいて、ＵＥの複数のＲＢそれぞれは、ＭｅＮＢにより制御されるセル（ＭＣｅｌｌ）及びＳｅＮＢにより制御されるセル（ＳＣｅｌｌ）により搬送される。ここで、ＳｅＮＢに分離されたＲＢはＤＲＢ及び/またはＳＲＢを含む。
【０００５】
現在のベアラ分離アーキテクチャ（Ｂｅａｒｅｒ ｓｅｐａｒａｔｉｏｎ ａｒｃｈｉｔｅｃｔｕｒｅ）はアーキテクチャ１（図１Ｂ参照）及びアーキテクチャ２（図１Ｃ参照）との２種類がある。
【０００６】
アーキテクチャ１
【０００７】
ＵＥはＭｅＮＢ及びＳｅＮＢにおいて個別のベアラを有し、一方、ＵＥはｅＮＢごとに個別のＰＤＣＰ（Ｐａｃｋｅｔ Ｄａｔａ Ｃｏｎｖｅｒｇｅｎｃｅ Ｐｒｏｔｏｃｏｌ、パケットデータ集合プロトコル）エンティティを有する。
【０００８】
アーキテクチャ２
【０００９】
ＵＥのＭｅＮＢにおける接続において、個別のベアラを有してもよい。ＵＥのＳｅＮＢにおける接続とは、ＭｅＮＢにおける同一の進化したパケットシステム（Ｅｖｏｌｖｅｄ  Ｐａｃｋｅｔ  Ｓｙｓｔｅｍ、ＥＰＳ）ベアラの一部データをＳｅＮＢへ分流して伝送することであり、当該ＥＰＳベアラパケットデータ集合プロトコル（Ｐａｃｋｅｔ Ｄａｔａ Ｃｏｎｖｅｒｇｅｎｃｅ Ｐｒｏｔｏｃｏｌ、ＰＤＣＰ）エンティティは依然にＭｅＮＢに位置し、ＳｅＮＢに位置するのは、個別の無線リンク制御（Ｒａｄｉｏ Ｌｉｎｋ Ｃｏｎｔｒｏｌ、ＲＬＣ）エンティティである。
【００１０】
ＬＴＥシステムにおいて、ＵＥのエネルギーを節約するため、不連続受信（Ｄｉｓｃｏｎｔｉｎｕｏｕｓ  Ｒｅｃｅｐｔｉｏｎ，ＤＲＸ）メカニズムが導入された。すなわち、ＵＥが接続状態となる場合、ｅＮＢの制御チャネルを連続的にモニタリングすることではなく、制御チャネルを不連続的にモニタリングし、図１Ｄを示すようである。ここで、持続期（Ｏｎ  Ｄｕｒａｔｉｏｎ）はＵＥが制御チャネルをモニタリングする期間を表し、この間は、無線周波数（ＲＦ）チャネルがオープンされ、かつ、制御チャネルは連続的にモニタリングされる。Ｏｎ  Ｄｕｒａｔｉｏｎ以外の他の期間において、ＵＥは、省エネルギー状態となり、その無線周波数リンクは終止される。Ｏｎ  Ｄｕｒａｔｉｏｎは、周期的に表れ、具体的にな周期はｅＮＢにより設定される。ＵＥ省エネルギーの実現とともに、ｅＮＢとＵＥ間の過大の伝送遅延を防ぐため、長サイクル（Ｌｏｎｇ  Ｃｙｃｌｅ）及び短サイクル（Ｓｈｏｒｔ  Ｃｙｃｌｅ）概念が導入された。Ｏｎ  Ｄｕｒａｔｉｏｎは、長サイクルよりＳｈｏｒｔ  Ｃｙｃｌｅの場合より多く表れる。ＵＥには、短サイクル及び長サイクルがともに設定されれば、短サイクル起動されて短サイクルのタイマー（ｄｒxＳｈｏｒｔ  Ｃｙｃｌｅ  Ｔｉｍｅｒ）がタイムアウト後、ＵＥは、さらに長サイクルに従ってモニタリングする。
【００１１】
ベアラ分離の場合、ＭｅＮＢ及びＳｅＮＢにおけるＵＥのＤＲＸ設定の不一致により、ＵＥがモニタリングにかかる時間がさらに長くなり、ＵＥは、電力をより多く消費する。
【発明の概要】
【発明が解決しようとする課題】
【００１２】
よって、従来のベアラ分離を応じるように、ＵＥのために適切のＤＲＸを設定できないため、ＵＥのモニタリング時間が長くなり、ＵＥの電力消費も高くなる。
【００１３】
本発明にかかる実施例はＤＲＸの設定方法、システム及び装置を提供し、従来技術に存在するベアラ分離の場合、ＵＥのために適切なＤＲＸを直ちに設定できず、ＵＥのモニタリング時間が長くなり、ＵＥの電力消費がさらに多くなる問題点を解決する。
【００１４】
本発明にかかる実施例は本発明にかかる実施例に基づいて設定したＤＲＸにより制御チャネルをモニタリングする方法及び装置をさらに提供する。
【課題を解決するための手段】
【００１５】
本発明にかかる実施例により提供する不連続受信（ＤＲＸ）の設定方法は、
第１ネットワーク側装置は、ユーザー装置に対する補助情報を特定するステップと、
前記第１ネットワーク側装置は、前記第２ネットワーク側装置が前記補助情報に基づいて前記ユーザー装置のためにＤＲＸを設定するように、第２ネットワーク側装置に前記補助情報を送信するステップとを備え、
一部の前記ユーザー装置のベアラ一は、前記第２ネットワーク側装置に分離される。
【００１６】
本発明にかかる実施例の第１ネットワーク側装置は、前記第２ネットワーク側装置が前記補助情報に基づいて前記ユーザー装置のためにＤＲＸを設定するように、第２ネットワーク側装置に補助情報を送信する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００１７】
好ましくは、補助情報は、下記前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含む。
【００１８】
好ましくは、前記補助情報は、前記ユーザー装置のサービングセルのサービングする基地局により特定した前記第２ネットワーク側装置が前記ユーザー装置のために設定したＤＲＸ関連情報、
前記第１ネットワーク側装置は、ユーザー装置に対する補助情報を特定するステップは、
前記第１ネットワーク側装置は、前記ユーザー装置のサービングセルのサービングする基地局により特定した前記第２ネットワーク側装置が前記ユーザー装置のために設定したＤＲＸ関連情報を、補助情報とするステップとを備え、
ここで、前記基地局により推奨した定ＤＲＸ関連情報は、前記第２ネットワーク側装置に分離したベアラ関連のサービスの特性情報に基づいて特定した情報である。
【００１９】
好ましくは、前記補助情報は、前記第２ネットワーク側装置に分離したベアラ関連のサービスの特性情報を含み、
前記第１ネットワーク側装置は、ユーザー装置に対する補助情報を特定するステップは、
前記第１ネットワーク側装置は、前記第２ネットワーク側装置に分離したベアラと関連するサービスのパケット履歴伝送間隔情報を、前記特性情報とするステップと、
及び/または
前記第１ネットワーク側装置は、前記第２ネットワーク側装置に分離したベアラと関連するサービスのポリシー情報を、前記特性情報とするステップとを備える。
【００２０】
好ましくは、前記サービスのポリシー情報は、クオリティ・オブ・サービス（ＱｏＳ）情報及び/またはサービスのパケット予測伝送間隔情報を含む。
【００２１】
好ましくは、前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢである。
【００２２】
好ましくは、前記第１ネットワーク側装置はＭｅＮＢまたはＳｅＮＢであり、
前記第１ネットワーク側装置が第２ネットワーク側装置に前記補助情報を送信する前に、前記第１ネットワーク側装置は、第２ネットワーク側装置に前記補助情報を送信することを特定するステップをさらに備える。
【００２３】
好ましくは、前記第１ネットワーク側装置は、下記の方式に基づいて第２ネットワーク側装置に前記補助情報を送信するか否かを判断し、
前記第１ネットワーク側装置は、前記第１ネットワーク側装置における前記ユーザー装置のベアラのＱｏＳ及び前記第２ネットワーク側装置における前記ユーザー装置のベアラのＱｏＳに基づいて、第２ネットワーク側装置に前記補助情報を送信するか否かを判断し、
または、
前記第１ネットワーク側装置は、前記ユーザー装置の受信機情報に基づいて、第２ネットワーク側装置に前記補助情報を送信するか否かを判断する。
【００２４】
本発明にかかる実施例により提供されるたの不連続受信（ＤＲＸ）の設定方法は、
第２ネットワーク側装置は、第１ネットワーク側装置からユーザー装置に対する補助情報を受信するステップと、
前記第２ネットワーク側装置は、前記補助情報に基づいて前記ユーザー装置のためにＤＲＸを設定するステップとを備え、
一部の前記ユーザー装置のベアラ一は、前記第２ネットワーク側装置に分離される。
【００２５】
本発明にかかる実施例の第２ネットワーク側装置は、前記補助情報に基づいて前記ユーザー装置のためにＤＲＸを設定する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００２６】
好ましくは、前記補助情報は、下記の
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含む。
【００２７】
好ましくは、前記補助情報は、前記ユーザー装置のサービングセルのサービングする基地局が前記ユーザー装置のために最後に設定したＤＲＸ関連情報及び/または前記ユーザー装置のサービングセルのサービングする基地局により特定した前記第２ネットワーク側装置が前記ユーザー装置のために設定したＤＲＸ関連情報を含む。
【００２８】
前記第２ネットワーク側装置が前記補助情報に基づいて前記ユーザー装置のためにＤＲＸを設定するステップは、
前記第２ネットワーク側装置が前記ユーザー装置のためにＤＲＸを既に設定し、且つ設定したＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さいか、前記第２ネットワーク側装置が前記ユーザー装置のためにＤＲＸを設定していなければ、再設定後のＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さくないように、前記ユーザー装置のためにＤＲＸを設定する。
【００２９】
好ましくは、前記補助情報は、前記第２ネットワーク側装置に分離したベアラ関連のサービスの特性情報を含み、
前記第２ネットワーク側装置が前記補助情報に基づいて前記ユーザー装置のためにＤＲＸを設定するステップは、
前記第２ネットワーク側装置は、前記補助情報に基づいて前記ユーザー装置の受信時間間隔を特定するステップと、
前記第２ネットワーク側装置は、特定した前記受信時間間隔に基づいて、前記ユーザー装置のためにＤＲＸを設定するステップとを備える。
【００３０】
好ましくは、前記サービスの特性情報は、前記第２ネットワーク側装置に分離したベアラと関連するサービスのパケット履歴伝送間隔情報、及び/または前記第２ネットワーク側装置に分離したベアラと関連するサービスのポリシー情報を含む。
【００３１】
好ましくは、前記サービスのポリシー情報は、サービスのＱｏＳ情報及び/またはサービスのパケット予測伝送間隔情報を含む。
【００３２】
好ましくは、前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢである。
【００３３】
本発明にかかる実施例により提供される制御チャネルのモニタリング方法は、ユーザー装置は、第２ネットワーク側装置により設定したＤＲＸを受信するステップと、
前記ユーザー装置は、設定した前記ＤＲＸに基づいて制御チャネルをモニタリングするステップとを備え、
【００３４】
前記第２ネットワーク側装置により設定したＤＲＸは、前記第２ネットワーク側装置が第１ネットワーク側装置から受信した補助情報に基づいて特定した情報であり、
一部の前記ユーザー装置のベアラ一は、前記第２ネットワーク側装置に分離される。
【００３５】
本発明にかかる実施例ユーザー装置が受信した第２ネットワーク側装置により設定したＤＲＸは、第２ネットワーク側装置が前記補助情報に基づいて前記ユーザー装置のためにＤＲＸを設定したものである。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００３６】
好ましくは、前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と、
のうちの一部または全部を含む。
【００３７】
好ましくは、前記ユーザー装置が第２ネットワーク側装置により設定したＤＲＸを受信する前に、
前記ユーザー装置は、前記第１ネットワーク側装置が前記ユーザー装置の受信機情報に基づいて第２ネットワーク側装置に前記補助情報を送信するか否かを判断できるように、前記第１ネットワーク側装置に前記ユーザー装置の受信機情報を報告するステップを備える。
【００３８】
本発明にかかる実施例の不連続受信（ＤＲＸ）を設定する第１ネットワーク側装置は、
ユーザー装置に対する補助情報を特定する特定モジュールと、
前記第２ネットワーク側装置が前記補助情報に基づいて前記ユーザー装置のためにＤＲＸを設定できるように、第２ネットワーク側装置に前記補助情報を送信する送信モジュールとを備え、
一部の前記ユーザー装置のベアラ一は、前記第２ネットワーク側装置に分離される。
【００３９】
好ましくは、前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含む。
【００４０】
好ましくは、前記補助情報は、前記ユーザー装置のサービングセルのサービングする基地局により特定した前記第２ネットワーク側装置が前記ユーザー装置のために設定したＤＲＸ関連情報を含み、
前記特定モジュールは、前記ユーザー装置のサービングセルのサービングする基地局により特定した前記第２ネットワーク側装置が前記ユーザー装置のために設定したＤＲＸ関連情報を、補助情報とし、
前記基地局により推奨した定ＤＲＸ関連情報は、前記第２ネットワーク側装置に分離したベアラ関連のサービスの特性情報に基づいて特定した情報である。
【００４１】
好ましくは、前記補助情報は、前記第２ネットワーク側装置に分離したベアラ関連のサービスの特性情報を含み、
前記特定モジュールは、前記第２ネットワーク側装置に分離したベアラと関連するサービスのパケット履歴伝送間隔情報を前記特性情報とするか、及び/または将前記第２ネットワーク側装置に分離したベアラと関連するサービスのポリシー情報を前記特性情報とする。
【００４２】
好ましくは、前記サービスのポリシー情報は、クオリティ・オブ・サービス（ＱｏＳ）情報及び/またはサービスのパケット予測伝送間隔情報を含む。
【００４３】
好ましくは、前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢである。
【００４４】
好ましくは、前記第１ネットワーク側装置はＭｅＮＢまたはＳｅＮＢであり、
前記送信モジュールは、第２ネットワーク側装置に前記補助情報を送信すべきだと特定された後、第２ネットワーク側装置に前記補助情報を送信する。
【００４５】
好ましくは、前記送信モジュールは、以下の方式により第２ネットワーク側装置に前記補助情報を送信するか否かを判断し、
前記第１ネットワーク側装置における前記ユーザー装置のベアラのＱｏＳ及び前記第２ネットワーク側装置における前記ユーザー装置のベアラのＱｏＳに基づいて、第２ネットワーク側装置に前記補助情報を送信するか否かを判断するか、前記ユーザー装置の受信機情報に基づいて第２ネットワーク側装置に前記補助情報を送信するか否かを判断する。
【００４６】
本発明にかかる実施例により提供される不連続受信（ＤＲＸ）を設定する第２ネットワーク側装置は、
第１ネットワーク側装置からユーザー装置に対する補助情報を受信する第１受信モジュールと、
前記補助情報に基づいて前記ユーザー装置のためにＤＲＸを設定する設定モジュールとを備え、
一部の前記ユーザー装置のベアラ一は、前記第２ネットワーク側装置に分離される。
【００４７】
好ましくは、前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含む。
【００４８】
好ましくは、前記補助情報は、前記ユーザー装置のサービングセルのサービングする基地局が前記ユーザー装置のために最後に設定したＤＲＸ関連情報及び/または前記ユーザー装置のサービングセルのサービングする基地局により特定した前記第２ネットワーク側装置が前記ユーザー装置のために設定したＤＲＸ関連情報を含み、
前記設定モジュールは、前記ユーザー装置のためにＤＲＸを既に設定、且つ設定されたＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さいか、前記ユーザー装置のためにＤＲＸを設定していなければ、再設定後のＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さくないように、前記ユーザー装置のためにＤＲＸを設定する。
【００４９】
好ましくは、前記補助情報は、前記第２ネットワーク側装置に分離したベアラ関連のサービスの特性情報を含み、
前記設定モジュールは、
前記補助情報に基づいて前記ユーザー装置の受信時間間隔を特定し、特定した前記受信時間間隔に基づいて前記ユーザー装置のためにＤＲＸを設定する。
【００５０】
好ましくは、前記サービスの特性情報は、前記第２ネットワーク側装置に分離したベアラと関連するサービスのパケット履歴伝送間隔情報、及び/または前記第２ネットワーク側装置に分離したベアラと関連するサービスのポリシー情報を含む。
【００５１】
好ましくは、前記サービスのポリシー情報は、サービスのＱｏＳ情報及び/またはサービスのパケット予測伝送間隔情報を含む。
【００５２】
好ましくは、前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢである。
【００５３】
本発明にかかる実施例により提供される制御チャネルをモニタリングするユーザー装置は、
第２ネットワーク側装置により設定したＤＲＸを受信し、前記第２ネットワーク側装置により設定したＤＲＸは、前記第２ネットワーク側装置が第１ネットワーク側装置から受信した補助情報に基づいて特定した情報である第２受信モジュールと、
設定した前記ＤＲＸに基づいて制御チャネルをモニタリングする処理モジュールとを備え、
一部の前記ユーザー装置のベアラ一は、前記第２ネットワーク側装置に分離される。
【００５４】
好ましくは、前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含む。
【００５５】
好ましくは、前記処理モジュールは、前記受信モジュールが第２ネットワーク側装置により設定したＤＲＸを受信する前、前記第１ネットワーク側装置は、前記ユーザー装置の受信機情報に基づいて、第２ネットワーク側装置に前記補助情報を送信するか否かを判断できるように、前記第１ネットワーク側装置に前記ユーザー装置の受信機情報を報告する。
【００５６】
本発明にかかる実施例により提供される不連続受信（ＤＲＸ）を設定するシステムは、
ユーザー装置に対する補助情報を特定し、第２ネットワーク側装置に前記補助情報を送信する第１ネットワーク側装置と、
第１ネットワーク側装置からユーザー装置に対する補助情報を受信し、前記補助情報に基づいて前記ユーザー装置のためにＤＲＸを設定する第２ネットワーク側装置と、
第２ネットワーク側装置により設定したＤＲＸを受信し、設定した前記ＤＲＸに基づいて制御チャネルをモニタリングするユーザー装置とを備え、
一部の前記ユーザー装置のベアラ一は、前記第２ネットワーク側装置に分離される。
【００５７】
本発明にかかる実施例の第１ネットワーク側装置は、前記第２ネットワーク側装置が前記補助情報に基づいて前記ユーザー装置のためにＤＲＸを設定するように、第２ネットワーク側装置に補助情報を送信する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００５８】
本発明にかかる実施例により提供される不連続受信（ＤＲＸ）を設定する第１ネットワーク側装置は、
第２ネットワーク側装置が補助情報に基づいてユーザー装置のためにＤＲＸを設定するように、ユーザー装置に対する補助情報を特定し、トランシーバーにより第２ネットワーク側装置に補助情報を送信するプロセッサーと、
プロセッサーの制御によりデータを送受信するトランシーバーとを備え、
一部のユーザー装置のベアラ一は第２ネットワーク側装置に分離される。
【００５９】
好ましくは、補助情報は、下記
ユーザー装置のサービングセルのサービングする基地局がユーザー装置のために最後に設定したＤＲＸ関連情報と、
ユーザー装置のサービングセルのサービングする基地局により特定した第２ネットワーク側装置がユーザー装置のために設定したＤＲＸ関連情報と、
第２ネットワーク側装置に分離されたベアラ関連のサービスの特性情報と
のうちの一部または全部を含む。
【００６０】
好ましくは、補助情報は、ユーザー装置のサービングセルのサービングする基地局により特定した第２ネットワーク側装置がユーザー装置のために設定したＤＲＸ関連情報を含み、
好ましくは、プロセッサーは、ユーザー装置のサービングセルのサービングする基地局により特定した第２ネットワーク側装置がユーザー装置のために設定したＤＲＸ関連情報を、補助情報とし、
基地局により推奨した定ＤＲＸ関連情報は、第２ネットワーク側装置に分離されたベアラ関連のサービスの特性情報に基づいて特定された情報である。
【００６１】
好ましくは、補助情報は、第２ネットワーク側装置に分離されたベアラ関連のサービスの特性情報を含み、
好ましくは、プロセッサーは、第２ネットワーク側装置に分離されたベアラと関連するサービスのパケット履歴伝送間隔情報を特性情報とし、及び/または第２ネットワーク側装置に分離されたベアラと関連するサービスのポリシー情報を特性情報とする。
【００６２】
好ましくは、サービスのポリシー情報は、サービスのＱｏＳ情報及び/またはサービスのパケット予測伝送間隔情報を含む。
【００６３】
好ましくは、第１ネットワーク側装置はＭｅＮＢまたはＯＡＭ装置であり、第２ネットワーク側装置はＳｅＮＢであり、
または、
第１ネットワーク側装置はＳｅＮＢであり、第２ネットワーク側装置はＭｅＮＢである。
【００６４】
好ましくは、第１ネットワーク側装置はＭｅＮＢまたはＳｅＮＢであり、
好ましくは、プロセッサーは、
第２ネットワーク側装置に補助情報を送信すべきだと特定された後、トランシーバー６１０により第２ネットワーク側装置に補助情報を送信する。
【００６５】
好ましくは、プロセッサーは、下記方式により第２ネットワーク側装置に補助情報を送信するか否かを判断し、
第１ネットワーク側装置におけるユーザー装置のベアラのＱｏＳ及び第２ネットワーク側装置におけるユーザー装置のベアラのＱｏＳに基づいて、第２ネットワーク側装置に補助情報を送信するか否かを判断するか、ユーザー装置の受信機情報に基づいて、第２ネットワーク側装置に補助情報を送信するか否かを判断する。
【００６６】
本発明にかかる実施例の第１ネットワーク側装置は、前記第２ネットワーク側装置が前記補助情報に基づいて前記ユーザー装置のためにＤＲＸを設定するように、第２ネットワーク側装置に補助情報を送信する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００６７】
本発明にかかる実施例により提供される不連続受信（ＤＲＸ）を設定する第２ネットワーク側装置は、
トランシーバーにより第１ネットワーク側装置からユーザー装置に対する補助情報を受信し、補助情報に基づいてユーザー装置のためにＤＲＸを設定するプロセッサーと、
プロセッサー７００の制御によりデータを送受信するトランシーバーとを備え、
一部のユーザー装置のベアラ一は第２ネットワーク側装置に分離される。
【００６８】
好ましくは、補助情報は、下記
ユーザー装置のサービングセルのサービングする基地局がユーザー装置のために最後に設定したＤＲＸ関連情報と、
ユーザー装置のサービングセルのサービングする基地局により特定した第２ネットワーク側装置がユーザー装置のために設定したＤＲＸ関連情報と、
第２ネットワーク側装置に分離されたベアラ関連のサービスの特性情報と
のうちの一部または全部を含む。
【００６９】
好ましくは、補助情報は、ユーザー装置のサービングセルのサービングする基地局がユーザー装置のために最後に設定したＤＲＸ関連情報及び/またはユーザー装置のサービングセルのサービングする基地局により特定した第２ネットワーク側装置がユーザー装置のために設定したＤＲＸ関連情報を含み、
好ましくは、プロセッサーは、
ユーザー装置のためにＤＲＸを既に設定し、且つ設定したＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さいか、ユーザー装置のためにＤＲＸを設定していなければ、再設定後のＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さくないように、ユーザー装置のためにＤＲＸを設定する。
【００７０】
好ましくは、補助情報は、第２ネットワーク側装置に分離されたベアラ関連のサービスの特性情報を含み、
好ましくは、プロセッサーは、
補助情報に基づいてユーザー装置の受信時間間隔を特定し、特定した受信時間間隔に基づいてユーザー装置のためにＤＲＸを設定する。
【００７１】
好ましくは、サービスの特性情報は、第２ネットワーク側装置に分離されたベアラと関連するサービスのパケット履歴伝送間隔情報、及び/または与第２ネットワーク側装置に分離されたベアラと関連するサービスのポリシー情報を含む。
【００７２】
好ましくは、サービスのポリシー情報は、サービスのＱｏＳ情報及び/またはサービスのパケット予測伝送間隔情報を含む。
【００７３】
好ましくは、第１ネットワーク側装置はＭｅＮＢまたはＯＡＭ装置であり、第２ネットワーク側装置はＳｅＮＢであり、
または、
第１ネットワーク側装置はＳｅＮＢであり、第２ネットワーク側装置はＭｅＮＢである。
【００７４】
本発明にかかる実施例の第１ネットワーク側装置は、前記第２ネットワーク側装置が前記補助情報に基づいて前記ユーザー装置のためにＤＲＸを設定するように、第２ネットワーク側装置に補助情報を送信する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【００７５】
本発明にかかる実施例により提供される不連続受信（ＤＲＸ）を設定するユーザー装置は、
トランシーバー８１０を介して第２ネットワーク側装置により設定したＤＲＸを受信し、設定したＤＲＸにより制御チャネルをモニタリングし、第２ネットワーク側装置により設定したＤＲＸは、第２ネットワーク側装置が第１ネットワーク側装置から受信した補助情報に基づいて特定したものであるプロセッサーと、
プロセッサーの制御によりデータを送受信するトランシーバーとを備え、
一部のユーザー装置のベアラ一は第２ネットワーク側装置に分離される。
【００７６】
好ましくは、補助情報は、下記
ユーザー装置のサービングセルのサービングする基地局がユーザー装置のために最後に設定したＤＲＸ関連情報と、
ユーザー装置のサービングセルのサービングする基地局により特定した第２ネットワーク側装置がユーザー装置のために設定したＤＲＸ関連情報と、
第２ネットワーク側装置に分離されたベアラ関連のサービスの特性情報と
のうちの一部または全部を含む。
【００７７】
好ましくは、プロセッサーは、
トランシーバーを介して第２ネットワーク側装置により設定したＤＲＸを受信する前、第１ネットワーク側装置がユーザー装置の受信機情報に基づいて、第２ネットワーク側装置に補助情報を送信するか否かを判断するように、トランシーバー８１０を介して第１ネットワーク側装置にユーザー装置の受信機情報を報告する。
【発明の効果】
【００７８】
本発明にかかる実施例の第１ネットワーク側装置は、前記第２ネットワーク側装置が前記補助情報に基づいて前記ユーザー装置のためにＤＲＸを設定するように、第２ネットワーク側装置に補助情報を送信する。ベアラ分離の場合、第２ネットワーク側装置が補助情報に基づいて前記ユーザー装置のためにＤＲＸを設定するため、前記ユーザー装置のために適切なＤＲＸ時間を速めに設定でき、ＵＥのモニタリング時間が短縮され、ＵＥの電力消費が低減される。
【図面の簡単な説明】
【００７９】
【図１Ａ】背景技術のマルチレイヤネットワーク・カバレッジ環境を示す図である。
【図１Ｂ】背景技術の第１種ベアラ分離アーキテクチャを示す図である。
【図１Ｃ】背景技術の第２種ベアラ分離アーキテクチャを示す図である。
【図１Ｄ】背景技術のＤＲＸメカニズムを示す図である。
【図２Ａ】本発明にかかる実施例のＤＲＸを設定するシステム構成図である。
【図２Ｂ】本発明にかかる実施例の設定したＤＲＸを示す図１である。
【図２Ｃ】本発明にかかる実施例の設定したＤＲＸを示す図２である。
【図２Ｄ】本発明にかかる実施例の設定したＤＲＸを示す図３である。
【図３】本発明にかかる実施例のＤＲＸを設定するシステムにおける第１ネットワーク側装置の構成図１である。
【図４】本発明にかかる実施例のＤＲＸを設定するシステムにおける第２ネットワーク側装置の構成図１である。
【図５】本発明にかかる実施例ＤＲＸを設定するシステムにおけるユーザー装置の構成図１である。
【図６】本発明にかかる実施例ＤＲＸを設定するシステムにおける第１ネットワーク側装置の構成図２である。
【図７】本発明にかかる実施例のＤＲＸを設定するシステムにおける第２ネットワーク側装置の構成図２である。
【図８】本発明にかかる実施例のＤＲＸを設定するシステムにおけるユーザー装置の構成図２である。
【図９】本発明にかかる実施例の第１ネットワーク側装置が補助情報を通知する方法のフローチャートである。
【図１０】本発明にかかる実施例の第２ネットワーク側装置ＤＲＸの設定方法のフローチャートである。
【図１１】本発明にかかる実施例のユーザー装置が制御チャネルをモニタリングする方法のフローチャートである。
【発明を実施するための形態】
【００８０】
本発明にかかる実施例の目的、技術案及びメリットをさらに明確にするため、以下、本発明にかかる実施例の図面を参照しながら、本発明にかかる実施例の技術案をさらに明確かつ詳細に説明する。もちろん、記載された実施例は、本発明の一部実施例であり、全部の実施例ではないことが理解できる。本発明にかかる実施例に基づいて、当業者は想像力を発揮しないかぎり得たすべての他の実施例は、本発明の保護範囲に属する。
【００８１】
理解すべきのは、本発明の技術案は、多様な通信システムに適用でき、例えば、ＧＳＭ（登録商標）（Ｇｌｏbａｌ  Ｓｙｓｔｅｍ  ｏf  Ｍｏbｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅbａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ-Ａ（Ａｄｖａｎｃｅｄ  ｌｏｎｇ  ｔｅｒｍ  ｅｖｏｌｕｔｉｏｎ）システム、ＵＭＴＳ（Ｕｎｉｖｅｒｓａｌ  Ｍｏbｉｌｅ  Ｔｅｌｅｃｏｍｍｕｎｉｃａｔｉｏｎ  Ｓｙｓｔｅｍ）などに適用できる。
【００８２】
また、本発明にかかる実施例において、ユーザー装置（ＵＥ、Ｕｓｅｒ  Ｅｑｕｉｐｍｅｎｔ）は、ＭＳ（Ｍｏbｉｌｅ  Ｓｔａｔｉｏｎ）、モバイル端末（Ｍｏbｉｌｅ  Ｔｅｒｍｉｎａｌ）、移動電話（Ｍｏbｉｌｅ  Ｔｅｌｅｐｈｏｎｅ）、ハンドセット（ｈａｎｄｓｅｔ）及び携帯型機器（ｐｏｒｔａbｌｅ  ｅｑｕｉｐｍｅｎｔ）などを含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００８３】
本発明にかかる実施例の第１ネットワーク側装置は、第２ネットワーク側装置が補助情報に基づいてユーザー装置のためにＤＲＸを設定するように、第２ネットワーク側装置に補助情報を送信する。ベアラ分離の場合、第２ネットワーク側装置可以補助情報に基づいてユーザー装置のためにＤＲＸを設定し、ユーザー装置のために適切なＤＲＸを速めに設定でき、ＵＥのモニタリング時間が短縮され、ＵＥの電力消費が低減される。
【００８４】
また、従来技術において、ＭｅＮＢからベアラが分離する前、ＭｅＮＢは、その前にＤＲＸを設定していない可能性もある（ＭｅＮＢにおける複数のベアラのうち、あるベアラのデータ送信は連続している一方、あるベアラのデータ送信は連続していないのため）。しかし、ＭｅＮＢからＳｅＮＢに分離したベアラはまばらに伝送するデータ（即ち、不連続に伝送するデータ）であるため、ＳｅＮＢは、時間をかかってサービスパッケトをカウントしないと、ＵＥのために適切なＤＲＸを設定できず、ＵＥの電力消費がさらに多くなり、且つ更加耗電、而且多次設定ＤＲＸの数回設定もシグナリングを別途に消費する。
【００８５】
本発明にかかる実施例によれは、ＵＥのために適切なＤＲＸを設定する前に、ＵＥのためにＤＲＸを設定しないか、１回のみまたは数回（ＵＥのために適切なＤＲＸを選定する時間は従来技術により大幅に短縮されているため、本発明にかかる実施例において数回設定としても従来技術により設定回数は減っている）を設定することにより、ＵＥの電力消費を減らし、別途のシグナリング消費を低減する。
【００８６】
図２Ａに示すように、本発明にかかる実施例のＤＲＸを設定するシステムは、第１ネットワーク側装置１０と、第２ネットワーク側装置２０と、ユーザー装置３０とを備える。
【００８７】
第１ネットワーク側装置１０は、ユーザー装置に対する補助情報を特定し、第２ネットワーク側装置に補助情報を送信する。
【００８８】
第２ネットワーク側装置２０は、第１ネットワーク側装置からユーザー装置に対する補助情報を受信し、補助情報に基づいてユーザー装置のためにＤＲＸを設定する。
【００８９】
ユーザー装置３０は、第２ネットワーク側装置により設定したＤＲＸを受信し、設定したＤＲＸにより制御チャネルをモニタリングする。
【００９０】
一部のユーザー装置のベアラ一は第２ネットワーク側装置に分離される。
【００９１】
本発明にかかる実施例の第１ネットワーク側装置はＭｅＮＢまたはＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）装置であり、第２ネットワーク側装置はＳｅＮＢである。
【００９２】
または、本発明にかかる実施例の第１ネットワーク側装置はＳｅＮＢであり、第２ネットワーク側装置はＭｅＮＢである。
【００９３】
第１ネットワーク側装置はＭｅＮＢまたはＳｅＮＢであれば、一部のユーザー装置のベアラ一は第２ネットワーク側装置に分離され、他の一部は、第１ネットワーク側装置に分離される。
【００９４】
実施において、補助情報は、下記情報中の一部または全部を含む。
【００９５】
−  ユーザー装置のサービングセルのサービングする基地局がユーザー装置のために最後に設定したＤＲＸ関連情報。第１ネットワーク側装置がＭｅＮＢまたはＳｅＮＢであれば、ここのユーザー装置のサービングセルのサービングする基地局はＭｅＮＢまたはＳｅＮＢである。
−  ユーザー装置のサービングセルのサービングする基地局により特定した第２ネットワーク側装置がユーザー装置のために設定したＤＲＸ関連情報。第１ネットワーク側装置がＭｅＮＢまたはＳｅＮＢであれば、ここのユーザー装置のサービングセルのサービングする基地局はＭｅＮＢまたはＳｅＮＢである。
−  第２ネットワーク側装置に分離されたベアラ関連のサービスの特性情報。
以下、それぞれを説明する。
【００９６】
方式一  補助情報は、第１ネットワーク側装置によりユーザー装置にために最後に設定したＤＲＸ関連情報を含む。
【００９７】
具体的に、第１ネットワーク側装置は、ユーザー装置のサービングセルのサービングする基地局がユーザー装置のために最後に設定したＤＲＸ関連情報を、補助情報とする。例えば、第１ネットワーク側装置は、第１ネットワーク側装置におけるユーザー装置のデータパッケト伝送間隔などに基づいて、第１ネットワーク側装置におけるユーザー装置のＤＲＸを設定することができる。
【００９８】
これに応じて、第２ネットワーク側装置がユーザー装置のためにＤＲＸを既に設定し、且つ設定したＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さいか、第２ネットワーク側装置がユーザー装置のためにＤＲＸを設定していなければ、再設定後のＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さくないように、ユーザー装置のためにＤＲＸを設定する。
【００９９】
即ち、第２ネットワーク側装置が到第１ネットワーク側装置のＤＲＸ設定を受信した後、第２ネットワーク側装置によりユーザー装置のために設定したＤＲＸのＯｎ  Ｄｕｒａｔｉｏｎと受信した第１ネットワーク側装置のＤＲＸのＯｎ  Ｄｕｒａｔｉｏｎの重複期間がすくないか重複期間がない、または、第２ネットワーク側装置がユーザー装置のために第２ネットワーク側装置におけるＤＲＸをまだ設定していないと発見すれば、第２ネットワーク側装置は、第２ネットワーク側装置におけるユーザー装置のＤＲＸのＯｎ  Ｄｕｒａｔｉｏｎの周期を調整する（またはＤＲＸを設定する）。こうして、第２ネットワーク側装置におけるユーザー装置のＤＲＸのＯｎ  Ｄｕｒａｔｉｏｎと第１ネットワーク側装置におけるユーザー装置のＤＲＸのＯｎ  Ｄｕｒａｔｉｏｎの重複期間を最大限に増やし、２つのｅＮＢにおけるユーザー装置のモニタリング総計時間を減らして、省電力の目的を達成する。
【０１００】
好ましくは、第２ネットワーク側装置が第２ネットワーク側装置におけるＵＥのＯｎ  Ｄｕｒａｔｉｏｎ周期を調整することは、ＤＲＸの所定パラメータにより実施できる。ＤＲＸ長サイクル及びＤＲＸ短サイクルと関連するパラメータ（例えば、Ｏｎ  Ｄｕｒａｔｉｏｎの長さ（ｏｎＤｕｒａｔｉｏｎＴｉｍｅｒ）、ＵＥの非活性化タイマーのサイズｄｒx-IｎａｃｔｉｖｉｔｙＴｉｍｅｒ、ＤＲＸの再伝送タイマー（ｄｒx-ＲｅｔｒａｎｓｍｉｓｓｉｏｎＴｉｍｅｒ）、ＤＲＸ終始タイミング（ｌｏｎｇＤＲＸ-ＣｙｃｌｅＳｔａｒｔＯffｓｅｔ）、ＤＲＸ短サイクルの長さ（ｓｈｏｒｔＤＲＸ-Ｃｙｃｌｅ）、短サイクルの総計期間（ｄｒxＳｈｏｒｔＣｙｃｌｅＴｉｍｅｒ）、他の関連パラメータ）が含まれる。ＤＲＸ調整方式及び節約したモニタリング時間部分は、図２Ｂを参照されたい。
【０１０１】
方式２  補助情報は、ユーザー装置のサービングセルのサービングする基地局により特定した第２ネットワーク側装置がユーザー装置のために設定したＤＲＸ関連情報を含み。
【０１０２】
具体的に、第１ネットワーク側装置は、ユーザー装置のサービングセルのサービングする基地局により特定した第２ネットワーク側装置がユーザー装置のために設定したＤＲＸ関連情報を、補助情報とする。
【０１０３】
ここで、サービングセルの所属基地局により推奨した定ＤＲＸ関連情報は、第２ネットワーク側装置に分離されたベアラ関連のサービスの特性情報に基づいて特定された情報である。
【０１０４】
実施において、サービングセルの所属基地局は、ベアラをターゲット基地局に分離する過程において中、分離しようとするベアラ（１つか複数のベアラ）のサービス特性、分離しようとするベアラ（１つか複数のベアラ）と関連するＤＲＸ設定を生成する。
【０１０５】
サービスパケット（例えばＩＰパケット）の特性によりＤＲＸを設定する方式は、図２Ｃを参照されたい。異なるサービスのデータパケットが異なる間隔（ｉｎｔｅｒｖａｌ）で基地局に到着するため、基地局は、第２ネットワーク側装置がユーザー装置へ伝送するサービスパケットの伝送特性（例えば、パッケト伝送間隔）に基づいて、ユーザー装置のためにＤＲＸを設定することができる。基地局はユーザー装置のＯｎ  Ｄｕｒａｔｉｏｎ期間のみにユーザー装置にデータを送信し、そしてユーザー装置もＯｎ  Ｄｕｒａｔｉｏｎ期間のみ御御チャネルをモニタリングする。こうして、ＵＥ省電力の目的を達成する。
【０１０６】
これに応じて、第２ネットワーク側装置は、第１ネットワーク側装置により推奨したＤＲＸ設定及びＵＥの第２ネットワーク側装置における実際の無線インターフェースニーズに応じて、ＵＥのためにＤＲＸを設定する。
【０１０７】
例えば、第１ネットワーク側装置の現在の無線インターフェースサブフレーム構成としては、１０個サブフレームごとに前の３個はアップリンクサブフレームであり、後の７個はダウンリンクサブフレームである。第１ネットワーク側装置は、ベアラを第２ネットワーク側装置に分子する場合、サービスパケットの特性に基づいて、自身の７個のダウンリンクサブフレームにおいてＤＲＸのＯｎ  Ｄｕｒａｔｉｏｎを設定する。例えば、後ろの７個のダウンリンクサブフーレムの後の５個のサブフレームをＯｎ  Ｄｕｒａｔｉｏｎと設定する。
【０１０８】
これに応じて、第２ネットワーク側装置の現在の無線インターフェースサブフレーム構成としては、１０個のサブフレームごとに、前の７個はアップリンクサブフレームであり、後ろの３個はダウンリンクサブフレームである。第２ネットワーク側装置が受信したＤＲＸに基づいて１０個のサブフレーム中の後ろの５個のサブフレームをＯｎ  Ｄｕｒａｔｉｏｎと設定できないため、第２ネットワーク側装置は、自身実際の無線インターフェースサブフレーム構成に基づいて、ＤＲＸのＯｎ  Ｄｕｒａｔｉｏｎを調整し、後ろの３つのサブフレームをＯｎ  Ｄｕｒａｔｉｏｎと設定する。
【０１０９】
ここでは実際の無線インターフェースニーズが無線インターフェースサブフレーム構成である例を挙げて説明したが、本発明にかかる実施例の実際の無線インターフェースニーズ必ず無線インターフェースサブフレーム構成であると言えない。本発明にかかる実施例の第２ネットワーク側装置は、いずれかの実際の無線インターフェースニーズ及び第１ネットワーク側装置により推奨したＤＲＸ設定に基づいてＵＥのためにＤＲＸを設定するすることができる。例えば、実際の無線インターフェースニーズは、ＵＥの無線インターフェースチャネルクオリティ、セルのロード（ｌｏａｄ）などであってもよい。
【０１１０】
方式３  補助情報は、第２ネットワーク側装置に分離されたベアラ関連のサービスの特性情報を含む。
【０１１１】
具体的に、第１ネットワーク側装置は、第２ネットワーク側装置に分離されたベアラと関連するサービスのパケット履歴伝送間隔情報を特性情報とする。
【０１１２】
及び/または、第１ネットワーク側装置は、第２ネットワーク側装置に分離されたベアラと関連するサービスのポリシー情報を特性情報とする（ここのポリシー情報は、第１ネットワーク側装置のニーズに応じて随時に調整でき、調整後に第２ネットワーク側装置に送信される。例えば、第１ネットワーク側装置のloadが上がり、第２ネットワーク側装置ロード（ｌｏａｄ）が少なければ、第１ネットワーク側装置は、より短いパッケト伝送間隔でデータを第２ネットワーク側装置に伝送するように調整する）。
【０１１３】
ここで、サービスのポリシー情報パケットは、サービスのＱｏＳ（Ｑｕａｌｉｔｙ  ｏf  Ｓｅｒｖｉｃｅ）サービスクオリティ情報及び/またはサービスのパケット予測伝送間隔情報を含む。
【０１１４】
これに応じて、第２ネットワーク側装置は、補助情報に基づいてユーザー装置の受信時間間隔を特定し、特定した受信時間間隔に基づいてユーザー装置のためにＤＲＸを設定する。
【０１１５】
ここで、特性情報が履歴パッケト伝送間隔情報を含めれば、履歴パッケト伝送間隔情報に基づいて受信時間間隔を特定することができる。例えば、第２ネットワーク側装置は、履歴パッケト伝送間隔に基づいて、将来のデータスケジューリング・伝送時間を予め設定し、データパケットが第２ネットワーク側装置に到着した後に、第２ネットワーク側装置は、予め設定した伝送時間のみ、スケジューリングデータを伝送する。
【０１１６】
特性情報がサービスのパケット予測伝送間隔情報を含めば、履歴パッケト伝送間隔情報に基づいて受信時間間隔を特定することができる。例えば、第２ネットワーク側装置は、予測パッケト伝送間隔情報に基づいて将来のデータスケジューリング・伝送時間を予め設定し、データパケットが第２ネットワーク側装置に到着した後に、第２ネットワーク側装置は、予め設定した伝送時間のみスケジューリングデータを伝送する。
【０１１７】
特性情報がＱｏＳ情報を含めば、ＱｏＳ情報に基づいて受信時間間隔を特定することができる。例えば、図２Ｄに示すように、ユーザー装置のサービスデータの基地局への到着間隔が短いかもしれない（例えば１０ｍｓ）、基地局がIＰパケット到着タイミングにより無線インターフェースにおいてスケジューリング・伝送すると、ＤＲＸの設定ができないおそれがあり、ＵＥの省エネルギーができなくなる。サービスデータのＱｏＳ遅延が１００ｍｓと要求すれば、基地局は、到着IＰパケットの無線インターフェーススケジューリング・伝送タイミングを遅延し（図に示すように３０ｍｓ延ばすか、さらに長くする）、伝送されたIＰパケットの到着間隔タイミングに基づいて受信時間間隔を特定することができる。こうして、ＱｏＳニーズを確保するとともに、ＵＥのためにＤＲＸを設定するにはエネルギーの節約ができる。
【０１１８】
第１ネットワーク側装置はＭｅＮＢまたはＳｅＮＢであり、本発明にかかる実施例は、補助情報の送信可否を判断する方法をさらに提供する。即ち、まず、第１ネットワーク側装置により判断し、送信すべきであれば、第２ネットワーク側装置に補助情報を送信する。こうするメリットとしては、必要としない補助情報の送信を防ぐ。
【０１１９】
具体的に、第１ネットワーク側装置は、第２ネットワーク側装置に補助情報を送信すべきだと特定した後、第２ネットワーク側装置に補助情報を送信する。
【０１２０】
第１ネットワーク側装置が第２ネットワーク側装置に補助情報を送信するか否かの方式は、多様であるが、以下、いくつかの例を挙げる。
【０１２１】
判断方式１  第１ネットワーク側装置は、第１ネットワーク側装置におけるユーザー装置のベアラのＱｏＳ及び第２ネットワーク側装置におけるユーザー装置のベアラのＱｏＳに基づいて、第２ネットワーク側装置に補助情報を送信すべきかを判断する。
【０１２２】
例えば、ＱｏＳに基づいて伝送すべきであるサービスが遅延要求に敏感ではないサービス（遅延要求に敏感ではないサービスは、ダウンリンクデータを受信した場合、無線インターフェースのスケジューリング・伝送時間を延ばすことができる）であるか否かを判断し、敏感ではないであれば、送信すべきだと特定し、敏感であれば、送信すべきではないと特定する。
【０１２３】
また、例えば、ＱｏＳに基づいて、伝送すべきであるサービスがパケット損失率が高いサービスであるか否かを特定し（パケット損失率が高いサービスは、ダウンリンクデータを受信した場合、無線インターフェースのスケジューリング・伝送時間を延ばすことができる）、パケット損失率が高いサービスであれば、送信すべきだと特定し、パケット損失率が高いサービスではなければ、送信すべきではないと特定する。
【０１２４】
判断方式２  第１ネットワーク側装置は、ユーザー装置の受信機情報に基づいて、第２ネットワーク側装置に補助情報を送信するか否かを判断する。
【０１２５】
方式２において、ユーザー装置は第１ネットワーク側装置にユーザー装置の受信機情報を報告する。
【０１２６】
受信機情報は、下記情報中の一部または全部を含む。
【０１２７】
―  受信機能力指示情報。例えば、受信機能力指示情報が、ユーザー装置が協調受信機（ｃｏｏｒｄｉｎａｔｉｎｇ ｒｅｃｅｉｖｅｒ）間のＤＲＸパラメータにより電気消費が低減されていることを示す場合、送信すべきだと特定する。さらに、例えば、受信機能力指示情報が、ユーザー装置バッテリーの電気容量が過少であることを示す場合、送信すべきだと特定する。
―  受信機数情報。例えば、受信機数情報が受信機１つのみが複数のキャリアのモニタリングに同時に用いられることを示す場合、送信すべきだと特定する。
【０１２８】
ユーザー装置が協調受信機間のＤＲＸパラメータにより電力消費が低減されれば、第２ネットワーク側装置に補助情報を送信すべきだと特定する。
【０１２９】
ユーザー装置には、受信機１つのみが複数のキャリアの受信またはモニタリングに、同時に用いられることを示す場合、第２ネットワーク側装置に補助情報を送信すすべきだと特定する。
【０１３０】
ユーザー装置のバッテリーの電気容量が過少であり、第２ネットワーク側装置に補助情報を送信すすべきだと特定する。
【０１３１】
図３は本発明にかかる実施例のＤＲＸを設定するシステムにおける第１ネットワーク側装置の構成図１である。図３に示すように、第１ネットワーク側装置は特定モジュール３００と、送信モジュール３１０とを備える。
【０１３２】
特定モジュール３００はユーザー装置に対する補助情報を特定する。
【０１３３】
送信モジュール３１０は、第２ネットワーク側装置補助情報に基づいてユーザー装置のためにＤＲＸを設定するように、第２ネットワーク側装置に補助情報を送信する。
【０１３４】
ここで、一部のユーザー装置のベアラ一は第２ネットワーク側装置に分離される。
【０１３５】
好ましくは、補助情報は、下記情報中の一部または全部を含む。
【０１３６】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０１３７】
好ましくは、補助情報は、ユーザー装置のサービングセルのサービングする基地局により特定した第２ネットワーク側装置がユーザー装置のために設定したＤＲＸ関連情報を含む。
【０１３８】
好ましくは、特定モジュール３００は、ユーザー装置のサービングセルのサービングする基地局により特定した第２ネットワーク側装置がユーザー装置のために設定したＤＲＸ関連情報を、補助情報とする。
【０１３９】
ここで、基地局により推奨した定ＤＲＸ関連情報は、第２ネットワーク側装置に分離されたベアラ関連のサービスの特性情報に基づいて特定された情報である。
【０１４０】
好ましくは、補助情報は、第２ネットワーク側装置に分離されたベアラ関連のサービスの特性情報を含む。
【０１４１】
好ましくは、特定モジュール３００は、第２ネットワーク側装置に分離されたベアラと関連するサービスのパケット履歴伝送間隔情報を特性情報とし、及び/または第２ネットワーク側装置に分離されたベアラと関連するサービスのポリシー情報を特性情報とする。
【０１４２】
好ましくは、サービスのポリシー情報は、サービスのＱｏＳ情報及び/またはサービスのパケット予測伝送間隔情報を含む。
【０１４３】
好ましくは、第１ネットワーク側装置はＭｅＮＢまたはＯＡＭ装置であり、第２ネットワーク側装置はＳｅＮＢである。
【０１４４】
または、第１ネットワーク側装置はＳｅＮＢであり、第２ネットワーク側装置はＭｅＮＢである。
【０１４５】
好ましくは、第１ネットワーク側装置はＭｅＮＢまたはＳｅＮＢである。
【０１４６】
好ましくは、送信モジュール３１０は、第２ネットワーク側装置に補助情報を送信すべきだと特定した後、第２ネットワーク側装置に補助情報を送信する。
【０１４７】
好ましくは、送信モジュール３１０は、下記方式により第２ネットワーク側装置に補助情報を送信するか否かを判断する。
【０１４８】
第１ネットワーク側装置におけるユーザー装置のベアラのＱｏＳ及び第２ネットワーク側装置におけるユーザー装置のベアラのＱｏＳに基づいて、第２ネットワーク側装置に補助情報を送信するか否かを判断するか、ユーザー装置の受信機情報に基づいて、第２ネットワーク側装置に補助情報を送信するか否かを判断する。
【０１４９】
図４は、本発明にかかる実施例ＤＲＸを設定するシステムにおける第２ネットワーク側装置の構成図１である。図４に示すように、第２ネットワーク側装置は、第１受信モジュール４００と、設定モジュール４１０とを備える。
【０１５０】
第１受信モジュール４００は、第１ネットワーク側装置からユーザー装置に対する補助情報を受信する。
【０１５１】
設定モジュール４１０は、補助情報に基づいてユーザー装置のためにＤＲＸを設定する。
【０１５２】
ここで、一部のユーザー装置のベアラ一は第２ネットワーク側装置に分離される。
【０１５３】
好ましくは、補助情報は、下記情報中の一部または全部を含む。
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報、
−  第２ネットワーク側装置に分離されたベアラ関連のサービスの特性情報。
【０１５４】
好ましくは、補助情報は、ユーザー装置のサービングセルのサービングする基地局がユーザー装置のために最後に設定したＤＲＸ関連情報及び/またはユーザー装置のサービングセルのサービングする基地局により特定した第２ネットワーク側装置がユーザー装置のために設定したＤＲＸ関連情報を含む。
【０１５５】
好ましくは、設定モジュール４１０は、ユーザー装置のためにＤＲＸを既に設定し、且つ設定したＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さいか、ユーザー装置のためにＤＲＸを設定していなければ、再設定後のＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さくないように、ユーザー装置のためにＤＲＸを設定する。
【０１５６】
好ましくは、補助情報は、第２ネットワーク側装置に分離されたベアラ関連のサービスの特性情報を含む。
【０１５７】
好ましくは、設定モジュール４１０は、補助情報に基づいてユーザー装置の受信時間間隔を特定し、特定した受信時間間隔に基づいてユーザー装置のためにＤＲＸを設定する。
【０１５８】
好ましくは、サービスの特性情報は、第２ネットワーク側装置に分離されたベアラと関連するサービスのパケット履歴伝送間隔情報、及び/または与第２ネットワーク側装置に分離されたベアラと関連するサービスのポリシー情報を含む。
【０１５９】
好ましくは、サービスのポリシー情報は、サービスのＱｏＳ情報及び/またはサービスのパケット予測伝送間隔情報を含む。
【０１６０】
好ましくは、第１ネットワーク側装置はＭｅＮＢまたはＯＡＭ装置であり、第２ネットワーク側装置はＳｅＮＢである。
【０１６１】
または、第１ネットワーク側装置はＳｅＮＢであり、第２ネットワーク側装置はＭｅＮＢである。
【０１６２】
図５に示すように、本発明にかかる実施例ＤＲＸを設定するシステムにおけるユーザー装置の構成図１である。図５に示すように、ユーザー装置は、第２受信モジュール５００と、処理モジュール５１０とを備える。
【０１６３】
第２受信モジュール５００は、第２ネットワーク側装置により設定したＤＲＸを受信する。ここで、第２ネットワーク側装置により設定したＤＲＸは、第２ネットワーク側装置が第１ネットワーク側装置から受信した補助情報に基づいて特定したものである。
【０１６４】
処理モジュール５１０は、設定したＤＲＸにより制御チャネルをモニタリングする。
【０１６５】
ここで、一部のユーザー装置のベアラ一は第２ネットワーク側装置に分離される。
【０１６６】
好ましくは、補助情報は、下記情報中の一部または全部を含む。
【０１６７】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０１６８】
好ましくは、処理モジュール５１０は、受信モジュールが第２ネットワーク側装置により設定したＤＲＸを受信する前に、第１ネットワーク側装置がユーザー装置の受信機情報に基づいて、第２ネットワーク側装置に補助情報を送信するか否かを判断するように、第１ネットワーク側装置にユーザー装置の受信機情報を報告する。
【０１６９】
図６は、本発明にかかる実施例ＤＲＸを設定するシステムにおける第１ネットワーク側装置の構成図２である。図６に示すように、第１ネットワーク側装置は、プロセッサー６００と、トランシーバー６１０とを備える。
【０１７０】
プロセッサー６００は、ユーザー装置に対する補助情報を特定し、第２ネットワーク側装置補助情報に基づいてユーザー装置のためにＤＲＸを設定するように、トランシーバー６１０を介して第２ネットワーク側装置に補助情報を送信する。
【０１７１】
トランシーバー６１０は、プロセッサー６００の制御によりデータを送受信する。
【０１７２】
ここで、一部のユーザー装置のベアラ一は第２ネットワーク側装置に分離される。
【０１７３】
好ましくは、補助情報は、下記情報中の一部または全部を含む。
【０１７４】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０１７５】
好ましくは、補助情報は、ユーザー装置のサービングセルのサービングする基地局により特定した第２ネットワーク側装置がユーザー装置のために設定したＤＲＸ関連情報を含む。
【０１７６】
好ましくは、プロセッサー６００は、ユーザー装置のサービングセルのサービングする基地局により特定した第２ネットワーク側装置がユーザー装置のために設定したＤＲＸ関連情報を、補助情報とする。
【０１７７】
ここで、基地局により推奨した定ＤＲＸ関連情報は、第２ネットワーク側装置に分離されたベアラ関連のサービスの特性情報に基づいて特定された情報である。
【０１７８】
好ましくは、補助情報は、第２ネットワーク側装置に分離されたベアラ関連のサービスの特性情報を含む。
【０１７９】
好ましくは、プロセッサー６００は、
第２ネットワーク側装置に分離されたベアラと関連するサービスのパケット履歴伝送間隔情報を特性情報とし、及び/または第２ネットワーク側装置に分離されたベアラと関連するサービスのポリシー情報を特性情報とする。
【０１８０】
好ましくは、サービスのポリシー情報は、サービスのＱｏＳ情報及び/またはサービスのパケット予測伝送間隔情報を含む。
【０１８１】
好ましくは、第１ネットワーク側装置はＭｅＮＢまたはＯＡＭ装置であり、第２ネットワーク側装置はＳｅＮＢである。
【０１８２】
または、第１ネットワーク側装置はＳｅＮＢであり、第２ネットワーク側装置はＭｅＮＢである。
【０１８３】
好ましくは、第１ネットワーク側装置はＭｅＮＢまたはＳｅＮＢである。
【０１８４】
好ましくは、プロセッサー６００は、第２ネットワーク側装置に補助情報を送信すべきだと特定された後、トランシーバー６１０により第２ネットワーク側装置に補助情報を送信する。
【０１８５】
好ましくは、プロセッサー６００は、下記方式により第２ネットワーク側装置に補助情報を送信するか否かを判断する。
【０１８６】
第１ネットワーク側装置におけるユーザー装置のベアラのＱｏＳ及び第２ネットワーク側装置におけるユーザー装置のベアラのＱｏＳに基づいて、第２ネットワーク側装置に補助情報を送信するか否かを判断するか、ユーザー装置の受信機情報に基づいて、第２ネットワーク側装置に補助情報を送信するか否かを判断する。
【０１８７】
図６において、バスアーキテクチャは、いずれ数の相互接続するバズ及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。プロセッサー６００はバスアーキテクチャ及び通常の処理を管理し、メモリ６２０可以存儲プロセッサー６００が操作する際に用いられるデータを記憶することができる。
【０１８８】
図７は、本発明にかかる実施例ＤＲＸを設定するシステムにおける第２ネットワーク側装置の構成図２である．図７に示すように、第２ネットワーク側装置は、プロセッサー７００と、トランシーバー７１０とを備える。
【０１８９】
プロセッサー７００は、トランシーバー７１０を介して第１ネットワーク側装置からユーザー装置に対する補助情報を受信し、補助情報に基づいてユーザー装置のためにＤＲＸを設定する。
【０１９０】
トランシーバー７１０は、プロセッサー７００の制御によりデータを送受信する。
【０１９１】
ここで、一部のユーザー装置のベアラ一は第２ネットワーク側装置に分離される。
【０１９２】
好ましくは、補助情報は、下記情報中の一部または全部を含む。
【０１９３】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０１９４】
好ましくは、補助情報は、ユーザー装置のサービングセルのサービングする基地局がユーザー装置のために最後に設定したＤＲＸ関連情報及び/またはユーザー装置のサービングセルのサービングする基地局により特定した第２ネットワーク側装置がユーザー装置のために設定したＤＲＸ関連情報を含む。
【０１９５】
好ましくは、プロセッサー７００は、ユーザー装置のためにＤＲＸを既に設定し、且つ設定したＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さいか、ユーザー装置のためにＤＲＸを設定していなければ、再設定後のＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さくないように、ユーザー装置のためにＤＲＸを設定する。
【０１９６】
好ましくは、補助情報は、第２ネットワーク側装置に分離されたベアラ関連のサービスの特性情報を含む。
【０１９７】
好ましくは、プロセッサー７００は、補助情報に基づいてユーザー装置の受信時間間隔を特定し、特定した受信時間間隔に基づいてユーザー装置のためにＤＲＸを設定する。
【０１９８】
好ましくは、サービスの特性情報は、第２ネットワーク側装置に分離されたベアラと関連するサービスのパケット履歴伝送間隔情報、及び/または与第２ネットワーク側装置に分離されたベアラと関連するサービスのポリシー情報を含む。
【０１９９】
好ましくは、サービスのポリシー情報は、サービスのＱｏＳ情報及び/またはサービスのパケット予測伝送間隔情報を含む。
【０２００】
好ましくは、第１ネットワーク側装置はＭｅＮＢまたはＯＡＭ装置であり、第２ネットワーク側装置はＳｅＮＢである。
【０２０１】
または、第１ネットワーク側装置はＳｅＮＢであり、第２ネットワーク側装置はＭｅＮＢである。
【０２０２】
図７において、バスアーキテクチャは、いずれ数の相互接続するバズ及びブリッジを備える。具体的に、プロセッサ７００が代表となる１つまたは複数のプロセッサ及びメモリ７２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機７１０は、複数の部品であることができ、即ち、送信機及び受信機を備え、伝送媒体を介して他の装置と通信するユニットを提供する。プロセッサー７００は、バズアーキテクチャ及び通常の処理を監視し、メモリ７２０は、プロセッサ７００が動作する際に利用するデータを記憶することができる。
【０２０３】
実施において、場合によって、ＭｅＮＢまたはＳｅＮＢは、第１種ネットワーク側装置であってもよく、第２ネットワーク側装置であってもよいため、第１種ネットワーク側装置及び第２種ネットワーク側装置の機能は、１つのエンティティに合併することができ（即ち第１種ネットワーク側装置及び第２種ネットワーク側装置のモジュールが１つのエンティティに設定される）、ニーズに合わせて、第１種ネットワーク側装置の機能か第２種ネットワーク側装置の機能を選択する。即ちプロセッサー６００、トランシーバー６１０、プロセッサー７００及びトランシーバー７１０は、１つのエンティティに合併されることができ、プロセッサー６００及びプロセッサー７００により１つのプロセッサーを仕立て、トランシーバー６１０及びトランシーバー７１０により１つのトランシーバーを仕立て、且つ１つのエンティティに組み合わせる。
【０２０４】
図８は、本発明にかかる実施例ＤＲＸを設定するシステムにおけるユーザー装置の構成図２である。図８に示すように、ユーザー装置は、プロセッサー８００と、トランシーバー８１０とを備える。
【０２０５】
プロセッサー８００は、トランシーバー８１０を介して第２ネットワーク側装置により設定したＤＲＸを受信し、設定したＤＲＸにより制御チャネルをモニタリングする。ここで、第２ネットワーク側装置により設定したＤＲＸは、第２ネットワーク側装置が第１ネットワーク側装置から受信した補助情報に基づいて特定したものであり。
【０２０６】
トランシーバー８１０は、プロセッサー８００の制御によりデータを送受信する。
【０２０７】
ここで、一部のユーザー装置のベアラ一は第２ネットワーク側装置に分離される。
【０２０８】
好ましくは、補助情報は、下記情報中の一部または全部を含む。
【０２０９】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０２１０】
好ましくは、プロセッサー８００は、トランシーバー８１０を介して第２ネットワーク側装置により設定したＤＲＸを受信する前、第１ネットワーク側装置がユーザー装置の受信機情報に基づいて、第２ネットワーク側装置に補助情報を送信するか否かを判断するように、トランシーバー８１０を介して第１ネットワーク側装置にユーザー装置の受信機情報を報告する。
【０２１１】
図８において、バスアーキテクチャは、いずれ数の相互接続するバズ及びブリッジを備える。具体的に、プロセッサ８００が代表となる１つまたは複数のプロセッサ及びメモリ８２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、即ち、送信機及び受信機を備え、伝送媒体を介して他の装置と通信するユニットを提供する。異なるユーザー設備に対し、ユーザーインターフェース８３０は、外部接続または内部接続に必要な設備のインターフェースであることもできる。接続する設備は、キーパッド、ディスプレー、スピーカー、マイクロホン、ジョイスティック等を備えるが、これに限られない。
【０２１２】
プロセッサ８００は、バズアーキテクチャ及び通常の処理を監視し、メモリ８２０は、プロセッサ８００が動作する際に利用するデータを記憶することができる。
【０２１３】
同様な発明思想に基づいて、本発明にかかる実施例は、第１ネットワーク側装置の補助情報通知の方法、第２ネットワーク側装置のＤＲＸの設定方法及びユーザー装置の制御チャネルのモニタリング方法をさらに提供する。これらの方法に対応する装置は本発明にかかる実施例ＤＲＸを設定するシステムにおける装置であり、かつ、方法の課題解決原理はシステムと類似するため、当該方法の実施はシステムの実施を参照すればよいため、繰り返して説明しない。
【０２１４】
図９は、本発明にかかる実施例の第１ネットワーク側装置の補助情報の通知方法を示す。図９に示すように、当該方法は、ステップ９１０と、ステップ９２０とを備える。
【０２１５】
ステップ９１０において、第１ネットワーク側装置は、ユーザー装置に対する補助情報を特定する。
【０２１６】
ステップ９２０において、第１ネットワーク側装置は、第２ネットワーク側装置が補助情報に基づいてユーザー装置のためにＤＲＸを設定するように、第２ネットワーク側装置に補助情報を送信する。
【０２１７】
ここで、一部のユーザー装置のベアラ一は第２ネットワーク側装置に分離される。
【０２１８】
好ましくは、補助情報は、下記情報中の一部または全部を含む。
【０２１９】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０２２０】
好ましくは、補助情報は、ユーザー装置のサービングセルのサービングする基地局により特定した第２ネットワーク側装置がユーザー装置のために設定したＤＲＸ関連情報を含む。
【０２２１】
第１ネットワーク側装置がユーザー装置に対する補助情報を特定するステップは、第１ネットワーク側装置は、ユーザー装置のサービングセルのサービングする基地局により特定した第２ネットワーク側装置がユーザー装置のために設定したＤＲＸ関連情報を、補助情報とするステップを備える。
【０２２２】
ここで、基地局により推奨した定ＤＲＸ関連情報は、第２ネットワーク側装置に分離されたベアラ関連のサービスの特性情報に基づいて特定された情報である。
【０２２３】
好ましくは、補助情報は、第２ネットワーク側装置に分離されたベアラ関連のサービスの特性情報を含む。
【０２２４】
第１ネットワーク側装置がユーザー装置に対する補助情報を特定するステップは、
第１ネットワーク側装置第２ネットワーク側装置に分離されたベアラと関連するサービスのパケット履歴伝送間隔情報を特性情報とするステップと、
及び/または
第１ネットワーク側装置第２ネットワーク側装置に分離されたベアラと関連するサービスのポリシー情報を特性情報とするスッテプとを備える。
【０２２５】
好ましくは、サービスのポリシー情報は、サービスのＱｏＳ情報及び/またはサービスのパケット予測伝送間隔情報を含む。
【０２２６】
好ましくは、第１ネットワーク側装置はＭｅＮＢまたはＯＡＭ装置であり、第２ネットワーク側装置はＳｅＮＢである。
【０２２７】
または、第１ネットワーク側装置はＳｅＮＢであり、第２ネットワーク側装置はＭｅＮＢである。
【０２２８】
好ましくは、第１ネットワーク側装置はＭｅＮＢまたはＳｅＮＢである。
【０２２９】
第１ネットワーク側装置が第２ネットワーク側装置に補助情報を送信する前に、第１ネットワーク側装置確定需要第２ネットワーク側装置に補助情報を送信するステップがさらに備えられる。
【０２３０】
好ましくは、第１ネットワーク側装置は、下記方式により第２ネットワーク側装置に補助情報を送信するか否かを判断する。
【０２３１】
第１ネットワーク側装置第１ネットワーク側装置におけるユーザー装置のベアラのＱｏＳ及び第２ネットワーク側装置におけるユーザー装置のベアラのＱｏＳに基づいて、第２ネットワーク側装置に補助情報を送信するか否かを判断する。
【０２３２】
第１ネットワーク側装置は、ユーザー装置の受信機情報に基づいて、第２ネットワーク側装置に補助情報を送信するか否かを判断する。
【０２３３】
図１０は、本発明にかかる実施例第２ネットワーク側装置ＤＲＸの設定方法を示す。図１０に示すように、当該方法は、ステップ１０１０と、ステップ１０２０と、を備える。
【０２３４】
ステップ１０１０において、第２ネットワーク側装置は、第１ネットワーク側装置からユーザー装置に対する補助情報を受信する。
【０２３５】
ステップ１０２０において、第２ネットワーク側装置は補助情報に基づいてユーザー装置のためにＤＲＸを設定する。
【０２３６】
ここで、一部のユーザー装置のベアラ一は第２ネットワーク側装置に分離される。
【０２３７】
好ましくは、補助情報は、下記情報中の一部または全部を含む。
【０２３８】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０２３９】
好ましくは、補助情報は、ユーザー装置のサービングセルのサービングする基地局がユーザー装置のために最後に設定したＤＲＸ関連情報及び/またはユーザー装置のサービングセルのサービングする基地局により特定した第２ネットワーク側装置がユーザー装置のために設定したＤＲＸ関連情報を含む、
第２ネットワーク側装置が補助情報に基づいてユーザー装置のためにＤＲＸを設定するステップは、第２ネットワーク側装置がユーザー装置のためにＤＲＸを既に設定し、且つ設定したＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さいか、第２ネットワーク側装置がユーザー装置のためにＤＲＸを設定していなければ、再設定後のＤＲＸのＯｎ  Ｄｕｒａｔｉｏｎとユーザー装置のサービングセルのサービングする基地局がユーザー装置のために最後に設定したＤＲＸ関連情報に対応するＯｎ  Ｄｕｒａｔｉｏｎの重複期間が設定期間より小さくないように、ユーザー装置のためにＤＲＸを設定するステップを備える。
【０２４０】
好ましくは、補助情報は、第２ネットワーク側装置に分離されたベアラ関連のサービスの特性情報を含む。
【０２４１】
第２ネットワーク側装置が補助情報に基づいてユーザー装置のためにＤＲＸを設定するステップは、
第２ネットワーク側装置は、補助情報に基づいてユーザー装置の受信時間間隔を特定するステップと、
第２ネットワーク側装置は、特定した受信時間間隔に基づいてユーザー装置のためにＤＲＸを設定するステップとを備える。
【０２４２】
好ましくは、サービスの特性情報は、第２ネットワーク側装置に分離されたベアラと関連するサービスのパケット履歴伝送間隔情報、及び/または与第２ネットワーク側装置に分離されたベアラと関連するサービスのポリシー情報を含む。
【０２４３】
好ましくは、サービスのポリシー情報は、サービスのＱｏＳ情報及び/またはサービスのパケット予測伝送間隔情報を含む。
【０２４４】
好ましくは、第１ネットワーク側装置はＭｅＮＢまたはＯＡＭ装置であり、第２ネットワーク側装置はＳｅＮＢである。
【０２４５】
または、第１ネットワーク側装置はＳｅＮＢであり、第２ネットワーク側装置はＭｅＮＢである。
【０２４６】
図１１に示すように、本発明にかかる実施例ユーザー装置制御チャネルのモニタリング方法は、ステップ１１１０と、ステップ１１２０、を備える。
【０２４７】
ステップ１１１０、ユーザー装置は、第２ネットワーク側装置により設定したＤＲＸを受信する。ここで、第２ネットワーク側装置により設定したＤＲＸは、第２ネットワーク側装置が第１ネットワーク側装置から受信した補助情報に基づいて特定したものである。
【０２４８】
ステップ１１２０において、ユーザー装置は、設定したＤＲＸにより制御チャネルをモニタリングする。
【０２４９】
ここで、一部のユーザー装置のベアラ一は第２ネットワーク側装置に分離される。
【０２５０】
好ましくは、補助情報は、下記情報中の一部または全部を含む。
【０２５１】
−  ユーザー装置のサービングセルのサービングする基地局がユーザー装置のために最後に設定したＤＲＸ関連情報
−  ユーザー装置のサービングセルのサービングする基地局により特定した第２ネットワーク側装置がユーザー装置のために設定したＤＲＸ関連情報
−  第２ネットワーク側装置に分離されたベアラ関連のサービスの特性情報。
【０２５２】
好ましくは、ユーザー装置が第２ネットワーク側装置により設定したＤＲＸを受信する前に、第１ネットワーク側装置がユーザー装置の受信機情報に基づいて、第２ネットワーク側装置に補助情報を送信するか否かを判断するように、ユーザー装置は第１ネットワーク側装置にユーザー装置の受信機情報を報告するステップが備えられる。
【０２５３】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【０２５４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置などを含むがそれとは限らない）において実施する。
【０２５５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２５６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２５７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２５８】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２５９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２６０】
本出願は、２０１３年１０月３１日に中国特許局に提出し、出願番号が２０１３１０５３３５０２.６であり、発明名称が「ＤＲＸの設定及び制御チャネルのモニタリングの方法、システム及び装置」との中国特許出願を基礎とする優先権を主張し、その開示の総てをここに取り込む。
【符号の説明】
【０２６１】
１０  第１ネットワーク側装置
２０  第２ネットワーク側装置
３０  ユーザー装置
３００  特定モジュール
３１０  送信モジュール
４００  第１受信モジュール
４１０  設定モジュール
５００  第２受信モジュール
５１０  処理モジュール
６００  プロセッサー
６１０  トランシーバー
６２０  メモリ
７００  プロセッサー
７１０  トランシーバー
７２０  メモリ
８００  プロセッサー
８１０  トランシーバー
８２０  メモリ
８３０  ユーザーインターフェース
【図１Ａ】
2016539602.tif 000003
【図１Ｂ】
2016539602.tif 000004
【図１Ｃ】
2016539602.tif 000005
【図１Ｄ】
2016539602.tif 000006
【図２Ａ】
2016539602.tif 000007
【図２Ｂ】
2016539602.tif 000008
【図２Ｃ】
2016539602.tif 000009
【図２Ｄ】
2016539602.tif 000010
【図３】
2016539602.tif 000011
【図４】
2016539602.tif 000012
【図５】
2016539602.tif 000013
【図６】
2016539602.tif 000014
【図７】
2016539602.tif 000015
【図８】
2016539602.tif 000016
【図９】
2016539602.tif 000017
【図１０】
2016539602.tif 000018
【図１１】
2016539602.tif 000019
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
第１ネットワーク側装置は、ユーザー装置に対する補助情報を特定するステップと、
前記第１ネットワーク側装置は、第２ネットワーク側装置が前記補助情報に基づいて前記ユーザー装置のためにＤＲＸを設定するように、前記第２ネットワーク側装置に前記補助情報を送信するステップとを備え、
一部の前記ユーザー装置のベアラ一は、前記第２ネットワーク側装置に分離されることを特徴とする不連続受信（ＤＲＸ）の設定方法。
【請求項２】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項１に記載の不連続受信（ＤＲＸ）の設定方法。
【請求項３】
前記補助情報は、前記ユーザー装置のサービングセルのサービングする基地局により特定した前記第２ネットワーク側装置が前記ユーザー装置のために設定したＤＲＸ関連情報を含み、
前記第１ネットワーク側装置がユーザー装置に対する補助情報を特定するステップは、
前記第１ネットワーク側装置は、前記ユーザー装置のサービングセルのサービングする基地局により特定した前記第２ネットワーク側装置が前記ユーザー装置のために設定したＤＲＸ関連情報を、補助情報とするステップを備え、
前記基地局により推奨した定ＤＲＸ関連情報は、前記第２ネットワーク側装置に分離したベアラ関連のサービスの特性情報に基づいて特定した情報であることを特徴とする請求項２に記載の不連続受信（ＤＲＸ）の設定方法。
【請求項４】
前記補助情報は、前記第２ネットワーク側装置に分離したベアラ関連のサービスの特性情報を含み、
前記第１ネットワーク側装置がユーザー装置に対する補助情報を特定するステップは、
前記第１ネットワーク側装置は、前記第２ネットワーク側装置に分離したベアラと関連するサービスのパケット履歴伝送間隔情報を、前記特性情報とするステップと、
及び/または
前記第１ネットワーク側装置は、前記第２ネットワーク側装置に分離したベアラと関連するサービスのポリシー情報を、前記特性情報とするステップとを備えることを特徴とする請求項２に記載の不連続受信（ＤＲＸ）の設定方法。
【請求項５】
前記サービスのポリシー情報は、クオリティ・オブ・サービス（ＱｏＳ）情報及び/またはサービスのパケット予測伝送間隔情報を含むことを特徴とする請求項４に記載の不連続受信（ＤＲＸ）の設定方法。
【請求項６】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項１ないし請求項４のいずれか１つに記載の不連続受信（ＤＲＸ）の設定方法。
【請求項７】
前記第１ネットワーク側装置はＭｅＮＢまたはＳｅＮＢであり、
前記第１ネットワーク側装置が第２ネットワーク側装置に前記補助情報を送信する前に、前記第１ネットワーク側装置は、第２ネットワーク側装置に前記補助情報を送信することを特定するステップをさらに備えることを特徴とする請求項６に記載の不連続受信（ＤＲＸ）の設定方法。
【請求項８】
前記第１ネットワーク側装置は以下の方式により第２ネットワーク側装置に前記補助情報を送信するか否かを判断し、
前記第１ネットワーク側装置は、前記第１ネットワーク側装置における前記ユーザー装置のベアラのＱｏＳ及び前記第２ネットワーク側装置における前記ユーザー装置のベアラのＱｏＳに基づいて、第２ネットワーク側装置に前記補助情報を送信するか否かを判断し、
または、
前記第１ネットワーク側装置は、前記ユーザー装置の受信機情報に基づいて、第２ネットワーク側装置に前記補助情報を送信するか否かを判断することを特徴とする請求項７に記載の不連続受信（ＤＲＸ）の設定方法。
【請求項９】
第２ネットワーク側装置は、第１ネットワーク側装置からユーザー装置に対する補助情報を受信するステップと、
前記第２ネットワーク側装置は、前記補助情報に基づいて前記ユーザー装置のためにＤＲＸを設定するステップとを備え、
一部の前記ユーザー装置のベアラ一は、前記第２ネットワーク側装置に分離されることを特徴とする不連続受信（ＤＲＸ）の設定方法。
【請求項１０】
前記補助情報は、下記
前記ユーザー装置のサービングセルのサービングする基地局が前記ユーザー装置のために最後に設定したＤＲＸ関連情報と、
前記ユーザー装置のサービングセルのサービングする基地局により特定した前記第２ネットワーク側装置が前記ユーザー装置のために設定したＤＲＸ関連情報と、
前記第２ネットワーク側装置に分離したベアラ関連のサービスの特性情報と
のうちの一部または全部を含むことを特徴とする請求項９に記載の不連続受信（ＤＲＸ）の設定方法。
【請求項１１】
前記補助情報は、前記ユーザー装置のサービングセルのサービングする基地局が前記ユーザー装置のために最後に設定したＤＲＸ関連情報及び/または前記ユーザー装置のサービングセルのサービングする基地局により特定した前記第２ネットワーク側装置が前記ユーザー装置のために設定したＤＲＸ関連情報を含み、
前記第２ネットワーク側装置が前記補助情報に基づいて前記ユーザー装置のためにＤＲＸを設定するステップは、
前記第２ネットワーク側装置が前記ユーザー装置のためにＤＲＸを既に設定し、且つ設定したＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さいか、前記第２ネットワーク側装置が前記ユーザー装置のためにＤＲＸを設定していなければ、再設定後のＤＲＸのＯｎ  Ｄｕｒａｔｉｏｎと前記ユーザー装置のサービングセルのサービングする基地局が前記ユーザー装置のために最後に設定したＤＲＸ関連情報に対応するＯｎ  Ｄｕｒａｔｉｏｎの重複期間が設定期間より小さくないように、前記ユーザー装置のためにＤＲＸを設定するステップを備えることを特徴とする請求項１０に記載の不連続受信（ＤＲＸ）の設定方法。
【請求項１２】
前記補助情報は、前記第２ネットワーク側装置に分離したベアラ関連のサービスの特性情報を含み、
前記第２ネットワーク側装置が前記補助情報に基づいて前記ユーザー装置のためにＤＲＸを設定するステップは、
前記第２ネットワーク側装置は、前記補助情報に基づいて前記ユーザー装置の受信時間間隔を特定するステップと、
前記第２ネットワーク側装置は、特定した前記受信時間間隔に基づいて、前記ユーザー装置のためにＤＲＸを設定するステップとを備えることを特徴とする請求項１１に記載の不連続受信（ＤＲＸ）の設定方法。
【請求項１３】
前記サービスの特性情報は、前記第２ネットワーク側装置に分離したベアラと関連するサービスのパケット履歴伝送間隔情報、及び/または前記第２ネットワーク側装置に分離したベアラと関連するサービスのポリシー情報を含むことを特徴とする請求項１２に記載の不連続受信（ＤＲＸ）の設定方法。
【請求項１４】
前記サービスのポリシー情報は、サービスのＱｏＳ情報及び/またはサービスのパケット予測伝送間隔情報を含むことを特徴とする請求項１３に記載の不連続受信（ＤＲＸ）の設定方法。
【請求項１５】
前記第１ネットワーク側装置はＭｅＮＢまたは運用・管理・保守（ＯＡＭ）装置であり、前記第２ネットワーク側装置はＳｅＮＢであり、
または、
前記第１ネットワーク側装置はＳｅＮＢであり、前記第２ネットワーク側装置はＭｅＮＢであることを特徴とする請求項９ないし請求項１４のいずれか１つに記載の不連続受信（ＤＲＸ）の設定方法。
【国際調査報告】
2016539602.tif 000020
2016539602.tif 000021
2016539602.tif 000022
2016539602.tif 000023